(57)【要約】  本ＰＤＰ（１０）は、第１の基板構造体（２０１）に、ガラス基板（１１）上、誘電体層（１２）で覆われる光反射性の表示電極（３１，３２）対を備え、第２の基板構造体（２０２）に、ガラス基板（２１）上、外光反射抑制のアドレス電極（３３）、透光性で断面が逆台形形状の隔壁（２３）、隔壁（２３）間に蛍光体層（２４）を備える。第２の基板構造体（２０１）側が前面（表示面）側になり、フィルム状フィルタ（２５）が粘着される。隔壁（２３）を通じて蛍光体（２４）からの発光を利用する。実質的な発光効率が高く、前面側の強度が高い。
2008041279.tif 000002
【特許請求の範囲】
【請求項１】
放電ガスが封入される放電空間を挟む第１と第２の基板構造体を有し、電極群により表示セル群が構成されるプラズマディスプレイパネルであって、
前記第１の基板構造体に、第１のガラス基板に対し第１の誘電体層で覆われ第１方向に伸びる表示電極対を有し、
前記第２の基板構造体に、第２のガラス基板に対し第２方向に伸びるアドレス電極と、前記放電空間を分離するように形成される隔壁と、前記放電空間に露出して前記隔壁間に形成される蛍光体層とを有し、
前記第１の基板構造体が背面側、前記第２の基板構造体が前面側に配置され、
前記蛍光体層は、前記第２の基板構造体側の前記アドレス電極上の底面と前記隔壁の側面とに形成され、
前記隔壁は、光透過性を持ち、その上下の底面が、前記第１の基板構造体側よりも前記第２の基板構造体の第２のガラス基板面側で大きい形状であることを特徴とするプラズマディスプレイパネル。
【請求項２】
請求項１記載のプラズマディスプレイパネルにおいて、
前記隔壁は、少なくとも、前記アドレス電極間で前記第２方向に伸びて形成され、
前記隔壁は、パネル面垂直な第３方向の断面が概略的に逆台形の形状であり、その側面の傾きが、前記第１の基板構造体側に近くなるほど急になり、直近の部分で略垂直になることを特徴とするプラズマディスプレイパネル。
【請求項３】
請求項１記載のプラズマディスプレイパネルにおいて、
前記表示電極対は、前面側での可視光反射性を持つことを特徴とするプラズマディスプレイパネル。
【請求項４】
請求項１記載のプラズマディスプレイパネルにおいて、
前記アドレス電極は、前面側での可視光吸収性を持つことを特徴とするプラズマディスプレイパネル。
【請求項５】
請求項１記載のプラズマディスプレイパネルにおいて、
前記第２の基板構造体における第２のガラス基板の前面に、フィルム状の光学フィルタが粘着されていることを特徴とするプラズマディスプレイパネル。
【請求項６】
請求項１記載のプラズマディスプレイパネルにおいて、
前記隔壁は、可視光を散乱するフィラーもしくは顔料を含んで成り、半光透過性を持つことを特徴とするプラズマディスプレイパネル。
【請求項７】
請求項１記載のプラズマディスプレイパネルにおいて、
前記表示電極対の間に、可視光反射性を持つ補助電極を有することを特徴とするプラズマディスプレイパネル。
【請求項８】
請求項１記載のプラズマディスプレイパネルにおいて、
前記隔壁の前記第１の基板構造体の直近の部分に、可視光吸収性を持つフィラーもしくは顔料を含んで成る層を有することを特徴とするプラズマディスプレイパネル。
【請求項９】
請求項１記載のプラズマディスプレイパネルにおいて、
前記アドレス電極は、前記蛍光体層の底面部に向く背面側での可視光反射性を持つことを特徴とするプラズマディスプレイパネル。
【請求項１０】
請求項１記載のプラズマディスプレイパネルにおいて、
前記アドレス電極は、前記蛍光体層の底面部の領域に対応する部分でのみ幅が太いことを特徴とするプラズマディスプレイパネル。
【請求項１１】
請求項１記載のプラズマディスプレイパネルにおいて、
前記第２の基板構造体における前記第２のガラス基板上の前記アドレス電極上に、誘電体層を設けずに前記蛍光体層が直接に形成されていることを特徴とするプラズマディスプレイパネル。
【請求項１２】
請求項１記載のプラズマディスプレイパネルにおいて、
前記表示セル群における前記蛍光体層は、それぞれ、その主たる赤または緑または青の発光色とは異なる色の可視光を吸収する顔料を含んで成ることを特徴とするプラズマディスプレイパネル。
【請求項１３】
請求項１記載のプラズマディスプレイパネルにおいて、
前記第１の基板構造体における前記表示電極対を覆う前記第１の誘電体層は、可視光を散乱する顔料を含んで成ることを特徴とするプラズマディスプレイパネル。
【発明の詳細な説明】
【技術分野】
【０００１】
本発明は、フルカラー表示可能なプラズマディスプレイパネル（ＰＤＰ）及びその表示装置（プラズマディスプレイ装置：ＰＤＰ装置）の技術に関し、特に、透過型ＰＤＰ、発光効率及び耐衝撃性能などに関する。
【背景技術】
【０００２】
ＡＣ型のＰＤＰ装置では、放電による蛍光体（蛍光体層）からの発光の利用の仕方として、初期には透過型も検討されていたが、発光効率の点で不足と考えられたこと等から、現状の反射型の構造が主流になっている。尚ここで、透過型とは、前面部・表示面（視認面）側にアドレス電極及び蛍光体層が配置され、背面部・非表示面側に表示電極が配置されるものを指しており、反射型とは、その逆のものを指している。また、電極構造としては、（Ｘ，Ｙ，Ａ）の三電極型や、（Ｘ，Ｙ，Ｚ，Ａ）の四電極型などがある。隔壁（リブ）構造としては、ストライプ状や格子状（ボックス、ワッフル形ともいう）などがある。【０００３】
ただし、最近においても、一部、下記のような透過型ＰＤＰの改良検討がなされているものもある。三電極・透過型ＰＤＰとしては、特開２００４−３５０６３号公報（特許文献１）、及び特開２００４−１４３７２号公報（特許文献２）に記載のものがある。また、四電極・透過型ＰＤＰとしては、特許第３４３７５９６号公報（特許文献３）に記載のものがある。
【特許文献１】特開２００４−３５０６３号公報
【特許文献２】特開２００４−１４３７２号公報
【特許文献３】特許第３４３７５９６号公報
【発明の開示】
【発明が解決しようとする課題】
【０００４】
従来主流の反射型ＰＤＰでは、いずれの形式の場合も、例えばコストダウン等のために透明電極（ＩＴＯ）を無くした構成にすると、遮光率が高くなり、発光効率が低下する。また、従来の透過型ＰＤＰについては、発光効率などの様々な点について検討・改良の余地があった。【０００５】
また、ＰＤＰの表示セル等の発光効率としては、パネル自体の、蛍光体からの発光の利用による発光効率だけでなく、パネル前面の反射（外光反射）なども影響し、それらを含む実質的な発光効率が、最終的な映像品質に関係する。【０００６】
また、ＰＤＰの耐衝撃性能に関して、従来の反射型ＰＤＰでは、前面からの衝撃に対する耐衝撃性能が十分ではない。そのため、例えば、従来のガラス製フィルタに代えて直貼りのフィルム（シート）状フィルタを用いたい場合、前面側の耐衝撃性能の点で不利である。【０００７】
本発明は以上のような問題に鑑みてなされたものであり、その第１の目的は、ＰＤＰにおいて、反射（外光反射）を考慮した実質的な発光効率を高くできる技術を提供し、また、第２の目的は、前面側の耐衝撃性能の向上または直貼りフィルタ付きＰＤＰの前面側の耐衝撃性能の不利を補うことができる技術を提供することにある。
【課題を解決するための手段】
【０００８】
本願において開示される発明のうち、代表的なものの概要を簡単に説明すれば、次のとおりである。前記目的を達成するために、本発明は、ＰＤＰの技術であって、以下に示す技術的手段や構造を備えることを特徴とする。【０００９】
本ＰＤＰ装置は、透過型ＰＤＰを基本とした、リブ、蛍光体、及び電極などの構造の工夫によるＰＤＰにおいて、第１に、実質的な発光効率を向上し、第２に、前面側からの耐衝撃性能を向上するものである。これに関わり、主に以下の手段を有する。上記第１の点に関し、光透過性で断面が逆台形形状のリブによる蛍光体発光利用、前面側の略すべての領域での外光反射の抑制（光吸収等）などの手段を有する。また上記第２の点に関し、断面が逆台形形状のリブ、直貼りのフィルム状フィルタなどの手段を有する。【００１０】
本ＰＤＰ装置のＰＤＰは、例えば以下の構成である。ＰＤＰは、主に、放電ガスが封入される放電空間を挟む第１と第２の基板構造体から成り、ガラス基板に対して形成される電極群によりセル群（及び対応する画素群）が構成される。電極構造としては例えば（Ｘ，Ｙ，Ａ）の三電極型である。第１の基板構造体（背面側）には、ガラス基板上、第１の誘電体層（更に保護層があってもよい）で覆われ第１方向に伸び可視光反射性を持つ維持放電可能な表示電極対（Ｘ，Ｙ電極）群を有する。第２の基板構造体（前面側）には、ガラス基板上、第２の誘電体層（無くともよい）で覆われ第２方向に伸びるアドレス（Ａ）電極群と、放電空間を分離するように少なくとも第２方向に伸びて形成される隔壁と、放電空間に露出して隔壁間に形成（塗付）される蛍光体層（蛍光体）とを有する。蛍光体層の底面部に対してアドレス電極が配置される。表示電極対とアドレス電極の交差、隔壁による分離、各色の蛍光体に対応して、セルが構成される。隔壁は、ストライプ状（縦リブ）やボックス状（縦及び横リブ）である。蛍光体層は、前面側のアドレス電極及び誘電体層などの面上に底面部が形成され、リブ側面に側面部が形成される。【００１１】
そして、第１の基板構造体が背面側、第２の基板構造体が表示面を持つ前面側になり（透過型ＰＤＰ）、隔壁は、光透過性を持ち、その上下の底面が、第１の基板構造体側よりも第２の基板構造体側（ガラス基板上の誘電体層に接する面）の方が大きい形状であることが特徴である。【００１２】
（１）本ＰＤＰでは、従来考慮されていなかった、リブ、特にその側面での蛍光体発光の利用を行う。リブは、可視光透過性（透光性）を持ち、断面が概略逆台形形状にする。蛍光体からの発光を、リブでの透過を通じて前面側へ導光する。これにより、セルでの放電による蛍光体からの発光（Ｒ，Ｇ，Ｂの可視光）を、なるべく無駄にしないようにして、セルの輝度を最大化し、発光効率が向上する。【００１３】
（２）また本ＰＤＰでは、上記（１）と同時に、前面側略すべての領域において、外光反射率を低減した構成により、外光反射抑制の性能を向上する。大部分のリブ前面側底面及びアドレス電極前面に、光吸収性を持たせ、外光反射を抑制する。前面からの入射光が、リブ前面側底面を通じて背面側底面へと導光され、また、アドレス電極前面で吸収等される。【００１４】
パネル前面側に設ける光学フィルタを含めて或る許容レベルに反射（外光反射）を抑制するＰＤＰ（フィルタ付きＰＤＰ）を考える。このフィルタ付きＰＤＰにおける実質的な発光効率の向上は、ＰＤＰ自体の発光効率（反射を考慮しない発光効率）の向上と、ＰＤＰの外光反射率の低減との両方で決まる。本ＰＤＰでは、上記（１）により発光効率を向上すると共に、上記（２）によって外光反射率を低減するので、実質的な発光効率が向上する。【００１５】
（３）また本ＰＤＰは、基本構成として、従来主流の反射型ＰＤＰとは視認面を逆にした、透過型ＰＤＰの構造である。即ち、この透過型ＰＤＰは、概略的には、従来の反射型ＰＤＰを裏返すことでその背面側を前面（表示面）にした配置である。なお説明のために、前面（表示面）側を第２の基板構造体、背面側を第１の基板構造体と称することにする。そして、本透過型ＰＤＰでは、従来の構造とは逆に、リブの底面が、パネル面垂直の第３方向の断面において概略的に逆台形の形状（逆山状）である。リブの蛍光体層が形成される側面における傾きが、第１の基板構造体側の底面に近くなるほど急になり（逆テーパ状）、第１の基板構造体側の低面に直近の部分で略垂直になる。これにより、前面側の耐衝撃性能が向上する。【００１６】
（４）また本ＰＤＰは、前面側、第２の基板構造体の視認面（最前面）、即ちガラス基板の前面に、例えば、ガラス製（剛性）ではなく樹脂製（柔軟性）のフィルム状の光学フィルタ（直貼りフィルタ）が、直接に粘着される形で設けられる。本ＰＤＰでは、上記（３）から耐衝撃性能が向上するので、このように最前面に上記直貼りフィルタを用いてフィルタ付きＰＤＰを構成できる。【００１７】
また、本ＰＤＰは、更に例えば以下の構成としてもよい。例えば（Ｘ，Ｙ，Ｚ，Ａ）の四電極型にする。即ち表示電極対の間、セル中心付近に位置するように、可視光反射性を持つ補助電極（Ｚ電極）を設ける。また、第１の基板構造体側における表示電極（及び補助電極など）を設ける場合は、光透過性の透明電極（コスト高のＩＴＯ）をなるべく用いずに、光反射性の例えば金属製の電極を用いる。これにより、放電発光を前面側へ反射して利用する。また、アドレス電極は、前面側に光吸収性を持たせ、背面側に光反射性を持たせ、蛍光体層の底面に対応する部分で太くなる形状にするとよい。【００１８】
また、隔壁の第１の基板構造体側の底面部分に、光吸収性の層を設ける。また、隔壁は、半光透過性を持たせて導光の効率を上げる。また、蛍光体層は、リブでの蛍光体の発光利用などに応じて厚さが設計され、或る程度以上の可視光透過性を持つようにする。また、各蛍光体層は、それぞれ、自身の主たる発光色（Ｒ，Ｇ，Ｂ）とは異なる色の可視光を吸収する性質を持つ。また、第１の基板構造体側の表示電極対を覆う誘電体層は、光散乱性のものにする。【００１９】
なお、従来において、透過型ＰＤＰの検討例は存在するが、本透過型ＰＤＰのように、側面に蛍光体の形成される、逆台形形状で光透過性を持つリブを用いるものは存在しない。
【発明の効果】
【００２０】
本願において開示される発明のうち、代表的なものによって得られる効果を簡単に説明すれば以下のとおりである。本発明によれば、第１に、ＰＤＰにおいて、反射（外光反射）を考慮した実質的な発光効率を高くでき、また、第２に、前面側の耐衝撃性能の向上または直貼りフィルタ付きＰＤＰの前面側の耐衝撃性能の不利を補うことができる。
【図面の簡単な説明】
【００２１】
【図１】本発明の一実施の形態であるＰＤＰ装置における、ＰＤＰの基本的な概略構成を示す図である。
【図２】本発明の実施の形態１であるＰＤＰ装置における、ＰＤＰの一部の横方向の断面の構造を示す図である。
【図３】本発明の実施の形態１であるＰＤＰ装置における、ＰＤＰの一部の背面部側の平面の構造を模式的に示す図である。
【図４】本発明の実施の形態１であるＰＤＰ装置における、ＰＤＰの一部の前面部側の平面の構造を模式的に示す図である。
【図５】本発明の実施の形態２であるＰＤＰ装置における、ＰＤＰの一部の縦方向の断面の構造を示す図である。
【図６】本発明の実施の形態２であるＰＤＰ装置における、ＰＤＰの一部の背面部側の平面の構造を模式的に示す図である。
【図７】本発明の実施の形態２であるＰＤＰ装置における、ＰＤＰの一部の前面部側の平面の構造を模式的に示す図である。
【発明を実施するための最良の形態】
【００２２】
以下、本発明の実施の形態を図面に基づいて詳細に説明する。なお、実施の形態を説明するための全図において、同一部には原則として同一符号を付し、その繰り返しの説明は省略する。【００２３】
＜ＰＤＰ＞
まず、図１において、本実施の形態の基本構成となるＰＤＰ１０を説明し、詳しい特徴については後述する。図１のＰＤＰ１０は、ＡＣ型・面放電、（Ｘ，Ｙ，Ａ）三電極型、縦リブ構成の場合である。説明のために、第１方向（ｘ）、第２方向（ｙ）、第３方向（ｚ）を有する。ＰＤＰ１０の表示領域５０に対して、ｘは、横に伸びる表示行の方向であり、ｙは、縦に伸びる表示列の方向、ｚは、面垂直な前後の方向であり、上が前面側で下が背面側である。【００２４】
本ＰＤＰ１０は、主に、前面側と背面側の一対の基板構造体である第１の基板構造体（背面部）２０１と第２の基板構造体（前面部）２０２により構成される。ＰＤＰ１０の表示領域５０は、複数の表示セル（セル：Ｃ）の行列により構成される。第１方向（ｘ）のＲ（赤），Ｇ（緑），Ｂ（青）の各色に対応するセル（Ｃｒ，Ｃｇ，Ｃｂ）のセットで画素（Ｐ）が構成される。本ＰＤＰ１０は、透過型ＰＤＰを基本としており、表示面を持つ前面部２０２側に隔壁２３や蛍光体２４などが配置されるものである。【００２５】
背面部２０１は、背面（第１）ガラス基板１１、表示電極（３１，３２）、誘電体層（第１誘電体層）１２、及び保護層（保護膜）１３を有する。複数本の表示電極（３１，３２）は、前面ガラス基板１１上で第１方向に平行に伸びて形成される。誘電体層１２は、前面ガラス基板１１上に表示電極（３１，３２）を覆うように形成される。更に、保護層１３は、誘電体層１２上で放電空間に露出する面側に形成される。表示電極（３１，３２）は、維持駆動用のＸ電極３１と、維持及び走査駆動用のＹ電極３２とで構成される。各電極は、所定の駆動回路に接続される。【００２６】
前面部２０２は、前面（第２）ガラス基板２１、アドレス（Ａ）電極３３、誘電体層（第２誘電体層）２２、隔壁（縦リブ）２３、及び蛍光体（蛍光体層）２４｛２４ｒ，２４ｇ，２４ｂ｝を有する。複数本のアドレス電極３３は、背面ガラス基板２１上で表示電極（３１，３２）と交差するように第２（縦）方向に平行に直線状に伸びて形成される。誘電体層２２は、背面ガラス基板２１上でアドレス電極３３を覆うように形成される。隔壁２３は、誘電体層２２上、アドレス電極３３間で、第２方向（ｙ）に帯状（ストライプ状）に形成される。Ｒ，Ｇ，Ｂの各色の蛍光体２４｛２４ｒ，２４ｇ，２４ｂ｝は、放電空間における隔壁２３間において、誘電体層２２面上及び隔壁２３側面に形成される。【００２７】
上記前面部２０２と背面部２０１を、表示電極（３１，３２）とアドレス電極３３が直交してそれらが内側向きになるように対向配置し、それらの基板周辺部をシールガラス等により封止し、隔壁２３により区切られる空間に、例えばＮｅ−Ｘｅガスによる放電ガスを充填及び封入することにより、ＰＤＰ１０が構成される。各セル（Ｃｒ，Ｃｇ，Ｃｂ）は、それぞれ対応するＲ，Ｇ，Ｂの色の単位発光領域となる。【００２８】
上記構造のＰＤＰ１０において、表示電極（３１，３２）及びアドレス電極３３間に電界をかけると、放電ガスが励起されてイオン化することにより、真空紫外線が放出される。そしてこの放出された真空紫外線が蛍光体２４に当たることにより、蛍光体２４から対応する色（例えばＲ）の可視光が放出される。この可視光がセルでの表示に利用されユーザに輝度として認識される。例えば、Ｘ電極３１−Ｙ電極３２間で表示用の維持放電、Ｙ電極３２−Ａ電極３３間で表示点選択用のアドレス放電を発生させる。【００２９】
本ＰＤＰ装置は、上記ＰＤＰ１０の他、図示しないが、ＰＤＰ１０の電極群を駆動する駆動回路、及び駆動回路を含む全体を制御する制御回路などを有し、従来同様のフィールド及びサブフィールドの駆動制御により、ＰＤＰ１０に対する映像表示を行う。制御回路は、入力の表示データや制御クロック信号などをもとに、駆動制御のためのフィールド及びサブフィールドデータ及びタイミング信号などを生成する。駆動回路は、Ｘ電極３１、Ｙ電極３２、アドレス電極３３などに対応した各駆動回路を有し、各駆動回路からＰＤＰ１０の対応する電極群への電圧印加により各種放電を発生させる。【００３０】
（実施の形態１）
次に、図１の基本構成をもとに、図２〜図４を用いて、実施の形態１のＰＤＰ装置を説明する。本ＰＤＰ装置は、図２〜図４に示す構造のＰＤＰ１０Ａを備える。本例では、ＡＬＩＳ型、即ちＸ電極３１とＹ電極３２が等間隔で交互に繰り返し配列され、隣接する電極のすべての間に表示行を構成し、かつ隣接の表示行において間の表示電極（３１，３２）が共通駆動される形式の場合である。図２は、ＰＤＰ１０Ａのセル対応の単位発光領域（Ｃ）に対応した、アドレス電極３３に直交する横方向（ｘ）の断面（ｘ−ｚ面）を示している。図３は、図２に対応して、ＰＤＰ１０Ａの下側（背面部２０１側）の平面における、単位発光領域（Ｃ）に対応する電極形状等を示している。図４は、図２，図３に対応して、ＰＤＰ１０Ａの上側（前面部２０２側）の平面における、単位発光領域（Ｃ）に対応する電極形状等を示している。図３及び図４中の左右が第１方向（ｘ）で、上下が第２方向（ｙ）である。図３及び図４中のａは、図２の断面位置を示しており、表示電極（例えばＹ電極３２）の突出部での断面である。【００３１】
実施の形態１のＰＤＰ１０Ａの主な特徴などは以下である。背面部２０１に表示電極（３１，３２）対が設けられ、前面部２０２にアドレス電極３３が設けられた三電極構造の透過型ＰＤＰを基本構成とする。縦リブ２３ａのみのストライプ状リブ構造であり、従来の透過型ＰＤＰとは逆の断面が概略台形形状で、更に光透過性（特に半光透過性）を持つ縦リブ２３ａを有する。前面部２０２側の大部分の領域（アドレス電極３３及び縦リブ２３ａを含む）で外交反射抑制の構造を有する。更に前面部２０２にフィルム状フィルタ２５を有する。【００３２】
図２において、ＰＤＰ１０Ａは、（Ｘ，Ｙ，Ａ）の三電極型、ストライプ状リブ（縦リブ）の構成である。ＰＤＰ１０Ａは、放電空間（Ｓ）を挟んで対向する第１の基板構造体（背面部）２０１と第２の基板構造体（前面部）２０２から構成される。背面部２０１は、ガラス基板１１、表示電極（３１，３２）、誘電体層１２、及び保護層１３を有する。前面部２０２は、ガラス基板２１、アドレス電極３３、誘電体層２２、並びに、縦リブ２３ａ及び蛍光体層２４を有する。また、前面部２０２の視認面（最前面）には、フィルム状フィルタ（直貼りフィルタ）２５が直接に粘着されている。放電空間（Ｓ）には、例えばＮｅ−Ｘｅによる放電ガスが封入される。【００３３】
実施の形態１では、リブ（縦リブ）２３ａは、図２に示すように断面（ｘ−ｚ面）が概略逆台形形状で、光透過性を持つ。縦リブ２３ａは、光透過性により、放電による蛍光体２４からの発光（可視光）を透過する。また、縦リブ２３ａは、背面側（保護層１３）に近くなるほど側面の傾きが急になる形状である。本例では、縦リブ２３ａは、第１層２３ａ−１と第２層２３ａ−２から成る、概略２段階の傾きを持つものとして示している。第２層２３ａ−２では、傾きが垂直に近くなる。縦リブ２３ａにおける、第１層２３ａ−１側の底面（台形下辺）の横幅（ｄ１）と、第２層２３ａ−２側の底面（台形上辺）の横幅（ｄ２）とで、ｄ１＞ｄ２である。リブ２３ａの段階的な層及び傾きの構成は、無くても構わず、連続的に変化するものとしても構わない。【００３４】
蛍光体層２４（底面部２４−１，側面部２４−２）は、放電空間（Ｓ）におけるアドレス電極３３に近い面側、及び、縦リブ２３ａの側面にわたって形成（塗布）されている。蛍光体層２４は、可視光を透過する薄さとする。蛍光体層２４は、例えば、それを構成する蛍光体粒子の径の３倍程度の厚さ、約１０ミクロン（μｍ）以下とする。従来の反射型ＰＤＰでの蛍光体層の厚さは１５〜２５ミクロンであり、これよりも薄く構成する。蛍光体層２４の厚さは、厚すぎると発光を透過せず、薄すぎると発光が不足するので、適宜調整する。上記１０ミクロン以下の程度の厚さで、発光が飽和する。即ち蛍光体層２４の厚さと発光量との関係において、蛍光体層２４から基板側へ出る光は、１０ミクロン付近でピークになる。【００３５】
アドレス電極３３は、前面側で外光反射抑制のための光吸収性を持つ。本例では、光吸収性を持つアドレス電極３３として黒色銀電極を使用している。黒色銀電極は、ペースト印刷及び焼成により形成する。なお、前面側の誘電体層２２は、設けなくともよい。この場合、アドレス電極３３上に直接に蛍光体層２４が形成される。【００３６】
表示電極（３１，３２）は、例えばＣｒ−Ｃｕ−Ｃｒ三層構造とし、前面側での光反射性を持たせる。例えばその上層Ｃｒを光反射性にする。なお、図２のａ断面では、表示電極（３１，３２）の全体のうち、短冊形の突出部分を示している（図３）。【００３７】
フィルム状フィルタ２５は、非ガラス製であり、前面部２０２側の最前面に、直貼りされている。フィルム状フィルタ２５は、フィルタ本体層２５−１と、粘着層２５−２とを有する。フィルタ本体層２５−１は、主な光学フィルタ特性を有しており、粘着層２５−２は、フィルタ本体層２５−１をガラス基板２１の前面に粘着している。フィルタ光学特性として、一般（従来）のガラスフィルタを設置した場合の空気層界面（ガラスフィルタのガラスと前面ガラス基板との間の空気層）での外光正反射が無くなって、本フィルタ構成により、クリアな表示画面とすることができる。フィルム状フィルタ２５は、アンチリフレクション（外光反射抑制）、電磁波遮蔽、近赤外線カット、色調整といった機能・特性を備える。【００３８】
図３において、Ｘ電極３１とＹ電極３２は、第１方向（ｘ）に伸びる直線状の部分と、単位発光領域（Ｃ）の範囲内でその内側の第２方向（ｙ）に突出する短冊（矩形）形状の部分とを有する形状である。隣接の表示電極（３１，３２）における突出部分同士でセルの放電ギャップ（Ｇ１）が構成される。共通電極構造により各表示行で同様にセルが構成される。３０１は、アドレス電極３３の位置を示している。縦リブ２３ａの第２層２３ａ−２は、背面側の保護層１３面と接する、面積の小さい方の底面（幅：ｄ２）を示している。【００３９】
図４において、縦リブ２３ａの第１層２３ａ−１は、前面側の誘電体層２２面と接する、面積の大きい方の底面（幅：ｄ１）を示している。アドレス電極３３は、例えば直線状である。【００４０】
図２において、９１〜９４は、光の流れを示している。即ち、光路９１は、前面からの外光がリブ２３ａにて導光され、背面側に抜けるものを示している。ＰＤＰ１０Ａの前面へ入射する外光は、リブ２３ａの第１層２３ａ−１の底面の部分から入り、リブ２３ａの逆台形形状により誘導されて、背面側の方向に抜けて行く。【００４１】
光路９２は、蛍光体２４からの発光（可視光）で、主にリブ２３ａから前面側へ抜けるものを示している。蛍光体２４からの発光のうち、リブ２３ａ側に行った発光は、リブ２３ａの逆台形形状を通して、前面側に誘導され、セルの輝度として寄与する。【００４２】
光路９３は、蛍光体２４からの発光（可視光）で、表示電極（３１，３２）で反射され、前面側に抜けるものを示している。蛍光体２４から背面側に出た発光は、可視光反射性の表示電極（３１，３２）前面で反射され、光透過性のリブ２３ａを通じて、前面側の方向に戻される。【００４３】
光路９４は、前面からの外光がアドレス電極３３の前面側で吸収されるものを示している。前面部２０２側に位置する蛍光体層２４の底面部２４−１は、一般に拡散反射面となるが、アドレス電極３３である光吸収性を持つ黒色銀電極の存在によって、前面からの外光が蛍光体層２４に行く前に吸収される。【００４４】
また、前記リブ２３ａでの導光の効率を上げるために、縦リブ２３ａ中に、可視光を散乱するフィラーまたは顔料を少し入れることにより、半光透過性を持たせる構成が有効である。これは、例えば、アルミナやチタニアを１０ｗｔ％（重量％）以下入れる。なお、これを入れすぎると、外光反射の効果が大きくなるので、微調整が必要である。【００４５】
また、前記リブ２３ａの側面の傾きの形状として、第２層２３ａ−２のように、背面部２０１に近くなるほど急峻にすることで、外光の誘導をより効率良く行うことができる。【００４６】
ＰＤＰの耐衝撃性に関して、本発明者は、大きな特徴として、従来の背面基板構造体に対応する第２の基板構造体２０２側、即ちリブ２３が形成されている基板面の方が、従来の前面基板構造体に対応する第１の基板構造体２０１側よりも耐衝撃強度が高いことを見出した。例えば４２インチサイズのＰＤＰを四隅で保持して中央に５００ｇ鋼球を落下させる実験を行った。この時、従来の反射型ＰＤＰの前面側の場合には０．３Ｊ（ジュール）で割れたのに対して、本ＰＤＰ１０Ａのような前面部２０２の構造の場合には０．６Ｊで割れた。即ち約倍の強度差があった。これは、主にリブ２３の形状が関係している。このように前面の耐衝撃性が高いことから、例えばフィルム状フィルタ２５に高価な衝撃吸収層を入れなくとも、十分に実用的な強度が得られる。【００４７】
また、従来、蛍光体の発光の利用は、その底面部の利用が主であり、側面部の利用は副次的なものであった。本ＰＤＰ１０Ａでは、特に蛍光体２４の側面部２４−２側を有効に利用することにより、発光効率を高めている。【００４８】
また、本ＰＤＰ１０Ａの前面部２０２のアドレス電極３３で外光反射を抑制する構成と従来の反射型ＰＤＰの構成とにおいて、画素（Ｐ）における外光反射率を考えると、アドレス電極３本単位の基板領域側と、表示電極（Ｘ，Ｙ電極）２本単位の基板領域側とを比べて、前者の方が低くなる。従って、本ＰＤＰ１０Ａの構成の方が外光反射抑制の点で有利である。【００４９】
また、セルでの放電による発光が、主に光透過性のリブ２３ａ経由で生じるため、発光分布が隣接セル間で部分的に重なる。これにより、従来のドット型デジタルディスプレイに比べて空間的に滑らかで自然な映像が得られる効果がある。【００５０】
（実施の形態２）
次に、図１の基本構成をもとに、図５〜図７を用いて、実施の形態２のＰＤＰ装置を説明する。本ＰＤＰ装置は、図５〜図７に示す構造のＰＤＰ１０Ｂを備える。基本的な透過型ＰＤＰの構成は実施の形態１と同様である。図５は、ＰＤＰ１０Ｂの単位発光領域（Ｃ）に対応した、背面側の電極（３１，３２，３４）に直交する縦方向（ｙ）の断面（ｙ−ｚ面）を示している。図６は、図５に対応して、ＰＤＰ１０Ｂの下側（背面部２０１側）の平面における電極形状等を示している。図７は、図５，図６に対応して、ＰＤＰ１０Ｂの上側（前面部２０２側）の平面における電極形状等を示している。図６及び図７中の左右が第２方向（ｙ）で、上下が第１方向（ｘ）である。図６及び図７中のｂは、図５の断面位置を示しており、アドレス電極３３が太い部分の断面である。【００５１】
実施の形態２のＰＤＰ１０Ｂの、実施の形態１のＰＤＰ１０Ａと異なる主な点は以下である。背面部２０１の表示電極（３１，３２）対の間に可視光反射性のＺ電極３４が設けられた四電極構造である。また放電空間をセル毎に区画したボックスリブ構造である。また背面部２０１側で、リブ２３に、光吸収性の層を設けた構造である。また前面部２０２側に誘電体層２２を設けない構造である。またＲ，Ｇ，Ｂの各蛍光体層２４は自身の発光色以外を吸収する性質を持たせる。【００５２】
図５において、ＰＤＰ１０Ｂは、（Ｘ，Ｙ，Ｚ，Ａ）の四電極型、ボックスリブ（縦・横リブ）の構成である。ＰＤＰ１０Ｂは、背面部２０１は、ガラス基板１１、表示電極（３１，３２）、補助電極（Ｚ電極）３４、誘電体層１２、及び保護層１３を有する。前面部２０２は、ガラス基板２１、アドレス電極３３、並びに、縦リブ２３ａ、横リブ２３ｂ、及び蛍光体層２４を有する。また、前面部２０２には、実施の形態１と同様にフィルム状フィルタ２５が設けられている。【００５３】
リブ２３（２３ａ，２３ｂ）は、実施の形態１と同様に、第３方向（ｚ）の断面が概略逆台形形状であり、かつ、光透過性を持つ。縦リブ２３ａは、第１層２３ａ−１、第２層２３ａ−２、第３層２３ａ−３から成る。同様に、横リブ２３ｂは、第１層２３ｂ−１、第２層２３ｂ−２、第３層２３ｂ−３から成る。【００５４】
第３層（２３ａ−３，２３ｂ−３）は、例えば薄い黒色隔壁層として構成され、光吸収性を持つ。また、横リブ２３ｂに、縦リブ２３ａと同様に、半光透過性を持たせる構成が有効である。【００５５】
蛍光体層２４（底面部２４−１，側面部２４−２）は、放電空間（Ｓ）におけるアドレス電極３３に近い面側、及び、縦リブ２３ａ及び横リブ２３ｂの側面にわたって形成（塗布）されている。実施の形態２では、アドレス電極３３上に誘電体層２２を設けずに直接に蛍光体層２４が形成される。蛍光体層２４は、可視光を透過する薄さとする。【００５６】
アドレス電極３３は、例えばＣｒ−Ｃｕ−Ｃｒ三層構造とし、上層Ｃｒに光吸収性を持たせる。また、アドレス電極３３の三層のうち、蛍光体２４で覆われる下層Ｃｒに光反射性を持たせる。なお、図５のｂ断面では、アドレス電極３３の全体のうち、短冊形の突出部分を示している（図７）。【００５７】
表示電極（３１，３２）は、実施の形態１と同様に例えばＣｒ−Ｃｕ−Ｃｒ三層構造とし、前面側での光反射性を持たせる。また、表示電極（３１，３２）を覆う誘電体層１２は、可視光を散乱する顔料を含んで成る。【００５８】
複数本のＺ電極３４は、表示電極（３１，３２）と略同一平面上で、表示電極（３１，３２）間に、第１方向（ｘ）に平行に伸びて設けられる。Ｚ電極３４は、表示電極（３１，３２）と同様に、例えばＣｒ−Ｃｕ−Ｃｒ三層構造とし、前面側での可視光反射性を持たせる。【００５９】
Ｚ電極３４は、公知技術のように例えば表示電極（３１，３２）対での維持放電を補助する働きを持つものである。Ｚ電極３４に対する電圧を一定電位にすることや、維持放電のためのサステインパルスに同期して短い正極性パルス（トリガパルス）を印加すること等により、Ｚ電極３４と表示電極（３１，３２）との間で微弱なトリガ放電を起こして発光効率を向上させたり、放電電圧を低下させたりすることが可能である。また、Ｚ電極３４を、セル選択のためのアドレス放電に利用すること等も可能である。【００６０】
本例では、可視光反射性を持たせる各電極（３１，３２，３３，３４）は、スパッタとエッチングにより作成する、Ｃｒ−Ｃｕ−Ｃｒ３層薄膜構造とする。なお、これは、基本的な可視光反射性の効果を確保すれば、他の材料やプロセスを使用しても構わない。【００６１】
図６において、Ｘ電極３１とＹ電極３２は、例えば直線状である。Ｚ電極３４は、第１方向（ｘ）に伸びる直線状の部分と、単位発光領域（Ｃ）の範囲内で第２方向（ｙ）の両側に突出する短冊（矩形）形状の部分とを有する形状である。Ｚ電極３４の突出部分と、隣接の各表示電極（３１，３２）との間で、放電ギャップ（Ｇ２）が構成される。６０１は、アドレス電極３３の位置を示している。縦リブ２３ａの第３層２３ａ−３及び横リブ２３ｂの第３層２３ｂ−３は、背面側の保護層１３面と接する、面積の小さい方の底面（幅：ｄ２）を示している。【００６２】
図７において、縦リブ２３ａの第１層２３ａ−１及び横リブ２３ｂの第１層２３ｂ−１は、前面側のガラス基板２１面と接する、面積の大きい方の底面（幅：ｄ１）を示している。アドレス電極３３は、蛍光体層２４の底面部２４−１の領域に対応する部分で幅が太く、横リブ２３ｂ対応部分で細くなる形状にしている。これは、ＰＤＰ１０Ｂのボックスリブ構成の場合において、リブ２３（２３ａ，２３ｂ）を通じて透過する発光を邪魔しないようにするためである。リブ２３対応部分で細くすれば、その分発光が前面側へ透過し、セルの輝度に寄与する。【００６３】
図５において、光路９４は、前面からの外光がアドレス電極３３の前面側（光吸収性を持つ上層Ｃｒ）で吸収されるものを示している。光路９５は、蛍光体２４からの発光で、アドレス電極３３の背面側で反射されるものを示している。光路９６は、蛍光体２４からの発光（可視光）で、可視光反射性のＺ電極３４前面で反射され前面側の方向に戻されるものを示している。光路９７は、前面からの外光が横リブ２３ｂにて導光され、第３層２３ｂ−３で吸収されるものを示している（縦リブ２３ａでも同様である）。光路９８は、蛍光体２４からの発光（可視光）で、主に横リブ２３ｂから前面側へ抜けるものを示している（縦リブ２３ａでも同様である）。【００６４】
また、図６のように、Ｚ電極３４は、単位発光領域（Ｃ）の中心付近に配置できる。そのため、蛍光体層２４から背面部２０１側に放出される発光（可視光）の最大強度部分を、効率良く前面部２０２側に反射することができる（図５、光路９６）。実施の形態２のようにＺ電極３４が有る構成では、実施の形態１のＺ電極３４が無い構成に比べて、単位発光領域（Ｃ）の中心部が放電ギャップ（Ｇ１）ではなくＺ電極３４（特に突出部を含む）による光反射領域になるため、発光を相対的に無駄に透過せずに有効に利用することができる。また、電極間容量を削減するためには、Ｚ電極３４は、図６のように、リブ２３（縦リブ２３ａ）に対応する領域の部分で細くなっていることが望ましい。【００６５】
また、ボックス状のリブ２３の構造により、実施の形態１に比べて、前面（視認面）側から、発光（透過）部分であるリブ２３がより多く見える構成になる（図７）。また、放電空間（Ｓ）に見える可視光反射性の各電極（３１，３２，３４）の隙間のうちセル間ギャップが無くなる。従って、発光効率及び輝度が高くなる。【００６６】
また、リブ２３の第３層（２３ａ−３，２３ｂ−３）は、黒色の顔料であるＣｕＯやＣｒＯが１０ｗｔ％ほど含まれて成り、黒色に見える。この黒色の第３層（２３ａ−３，２３ｂ−３）により、リブ２３の前面側から入って背面部２０１側に誘導されてきた外光が吸収される。これにより、リブ２３の直下の光反射性の電極（３１，３２，３４）による外光反射や、背面部２０１との界面での外光反射が抑制される。従って、パネルとしての光反射率が、より良く低減される。【００６７】
なお、リブ２３は、例えばサンドブラストで成型及び焼成して形成されるものであるが、本例では、概略２段階の光透過性の層（２３ｂ−１，２３ｂ−２等）と、その上の光吸収性の層（２３ｂ−３等）とによる２種類の隔壁層の構成とするために、製造方法として、リブペーストの塗布乾燥を２回繰り返した後に、この第３層（２３ｂ−３等）の形成の工程を行った。【００６８】
この第３層（２３ａ−３，２３ｂ−３）は、可視光を吸収するのに十分な厚さがあれば良く、本例では１０ミクロンの厚さである。これは、第２層（２３ａ−２，２３ｂ−２）の高さ（例えば１３０ミクロン）に比べて十分小さく、蛍光体層２４からの発光に対しての吸収は、無視できる程度である。【００６９】
また、前面部２０２において、蛍光体層２４の底面部２４−１が、アドレス電極３３上に直接形成されており、リブ２３とガラス基板２１の間に誘電体層を設けていない構造である。これにより、発光の、リブ２３からの抜けが良くなり、輝度が改善される（光路９８等）。また、この部分の誘電体層は、本来リブ２３をサンドブラストで形成する際のストップ層（電極を保護し、サンドブラストが進行しない部分）であり、アドレス電極３３を保護するものであるが、本例では、アドレス電極３３をＣｒ−Ｃｕ−Ｃｒ三層構造として、サンドブラスト条件を最適化することにより、不要にすることができた。【００７０】
また、アドレス電極３３の視認面側を黒色とするために、アドレス電極３３の下層Ｃｒについてはスパッタで形成後に焼成酸化で黒くして、その後にＣｕ、Ｃｒをスパッタして、パターニングすることにより、アドレス電極３３を形成した。これらにより、誘電体層（１２，２２）が少ない分のコストダウンが可能になる。また、上記黒色の下層Ｃｒの構造により、アドレス電極３３も背面側での可視光反射性を持つので、光路９５のように、蛍光体層２４の底面部２４−１の発光を、より有効に活用できるようになった。【００７１】
なお、アドレス電極３３としては、実施の形態１のように黒色銀電極を用いることもできるが、この場合サンドブラストを非常に弱い条件にする必要がある。それでも、誘電体層２２を形成しなくて済むので、トータルのタクト（工程）を短くできる。【００７２】
また、赤（Ｒ）、緑（Ｇ）、及び青（Ｂ）の各色の発光のセル（Ｃｒ，Ｃｂｇ，Ｃｂ）用のそれぞれの蛍光体層２４｛２４ｒ，２４ｇ，２４ｂ｝において、自セル対応の本来の発光以外を吸収する顔料を入れた構成である。例えばＲ発光セル（Ｃｒ）の蛍光体層２４ｒであれば、Ｒ発光以外を吸収する特性とする。この吸収の特性としては、外光の吸収も含む。上記それぞれの顔料は、蛍光体粒子の大きさよりも十分小さくして、蛍光体粒子の表面にまばらに付着するようにし、紫外線の吸収を妨げないように構成する。【００７３】
上記蛍光体層２４での顔料の混入の効果は、反射型ＰＤＰではネガティブな効果となる。即ち作用効果として輝度の低下が反射率の低下を上回ってしまう。一方、実施の形態２の透過型のＰＤＰ１０Ｂにおいては、実験でポジティブな効果が得られた。即ち作用効果として反射率の低下が輝度の低下を上回り、実質的な発光効率が向上する。これは、当該蛍光体層２４で、セル内に漏れた外光を遮蔽する効果があることが原因と推定される。【００７４】
以上説明したように、各実施の形態のＰＤＰ装置によれば、リブ２３、蛍光体２４及び電極（３１，３２，３３，３４）等を工夫した構造を持つＰＤＰ１０により、実質的な発光効率を高くでき、かつ前面側の耐衝撃性能を向上して直貼りフィルタ付きＰＤＰを構成できる。【００７５】
リブ２３と蛍光体層２４の最適な配置により、外光反射が抑制され、蛍光体層２４からの発光がリブ２３から効率良く前面側へ出されるので、実質的な発光効率が高くなる。また、ＰＤＰ１０全体の発光効率及び前面側の耐衝撃性能の向上により、フィルム状フィルタ２５を採用でき、コスト高な透明電極（ＩＴＯ）や、ガラス製フィルタ、衝撃吸収層などを使用せずに済み、その分コストを下げることができる。【００７６】
また、従来の反射型ＰＤＰでは、保護層（ＭｇＯ）と誘電体層との屈折率の違いから、保護層で等厚干渉による透過率ムラが発生して、これにより点灯表示ムラが発生するが、本実施の形態では、それが原理的に発生しない。特に、ＰＤＰ前面にフィルム状フィルタを直貼りした構成の場合には、空気層界面の正反射が減り、非点灯でも保護層での等厚干渉による反射ムラが目立っていたが、本実施の形態では、それが原理的に発生しない。【００７７】
また、従来の反射型ＰＤＰに比べて蛍光体層２４が少ないため、アドレス電圧が低くて済み、また、ＰＤＰ１０内の不純物（蛍光体層２４の樹脂ペーストの残存物など）を減らせて表示品質が安定するといった効果もある。【００７８】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００７９】
本発明は、ＰＤＰ装置に利用可能である。
【図１】
2008041279.tif 000003
【図２】
2008041279.tif 000004
【図３】
2008041279.tif 000005
【図４】
2008041279.tif 000006
【図５】
2008041279.tif 000007
【図６】
2008041279.tif 000008
【図７】
2008041279.tif 000009
【国際調査報告】
2008041279.tif 000010
2008041279.tif 000011
2008041279.tif 000012
2008041279.tif 000013
2008041279.tif 000014
2008041279.tif 000015
2008041279.tif 000016